【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
下記の一般式（Ｉ）で表される少なくとも１種のテトラエステルを含むオイルであって、
【化１】
2012511077.tif 000001
（式中、基Ｒ１、Ｒ２、Ｒ３、Ｒ４は、炭素数１〜１０の脂肪族鎖であり、
基Ｒ５、Ｒ６、Ｒ７、Ｒ８は、炭素数６〜１１のパラフィン系短鎖であるか、または炭素数１３〜２１のオレフィン系長鎖であり、
基Ｒ５、Ｒ６、Ｒ７、Ｒ８の少なくとも一つは、炭素数６〜１１のパラフィン系短鎖であり、基Ｒ５、Ｒ６、Ｒ７、Ｒ８の少なくとも一つは、炭素数１３〜２１のオレフィン系長鎖である）
当該オイルにＮＦ  ＩＳＯ  ５５０９規格およびＮＦ  ＩＳＯ  ５５０８規格を適用することで得られる脂肪酸メチルエステル混合物の組成に基づいて決定される、炭素数１４〜２２の長鎖脂肪酸のモル数と炭素数７〜１２の短鎖脂肪酸のモル数との比が０．３〜２．５であり、
かつ、当該オイルは、
上記の一般式（Ｉ）で表される、基Ｒ５、Ｒ６、Ｒ７、Ｒ８のうちの二つが、炭素数６〜１１のパラフィン系短鎖であり、基Ｒ５、Ｒ６、Ｒ７、Ｒ８のうちの二つが、炭素数１３〜２１のオレフィン系長鎖である少なくとも１種のテトラエステルを、少なくとも１５重量％含む、オイル。
【請求項２】
請求項１において、基Ｒ１、Ｒ２、Ｒ３、Ｒ４が、炭素数１〜４の脂肪族鎖である、オイル。
【請求項３】
請求項１または２において、当該オイルにＮＦ  ＩＳＯ  ５５０９規格およびＮＦ  ＩＳＯ  ５５０８規格を適用することで得られる脂肪酸メチルエステル混合物に含まれる炭素数１４〜２２の長鎖脂肪酸メチルエステルの大半が、モノ不飽和脂肪酸エステルである、オイル。
【請求項４】
請求項１から３のいずれか一項において、一般式（Ｉ）で表される、基Ｒ５、Ｒ６、Ｒ７、Ｒ８のうちの少なくとも二つが、炭素数１３〜２１のオレフィン系長鎖である少なくとも１種のテトラエステル、および／または下記の一般式（ＩＩ）で表されるテトラエステルを、少なくとも３０重量％含む、オイル。
【化２】
2012511077.tif 000002
（式中、基Ｒ９、Ｒ１０、Ｒ１１、Ｒ１２は、炭素数１〜１０の脂肪族鎖であり、基Ｒ１３は、炭素数１３〜２１のオレフィン系長鎖である。）
【請求項５】
請求項４において、一般式（ＩＩ）で表される少なくとも１種のテトラエステルを、１０重量％以下含む、オイル。
【請求項６】
請求項１から５のいずれか一項において、一般式（Ｉ）で表される、基Ｒ５、Ｒ６、Ｒ７、Ｒ８のうちの三つが炭素数１３〜２１のオレフィン系長鎖であるテトラエステルを、２５重量％以下含む、オイル。
【請求項７】
請求項１から６のいずれか一項において、下記の一般式（ＩＩＩ）で表される少なくとも１種のポリオールと、
【化３】
2012511077.tif 000003
（式中、基Ｒ１、Ｒ２、Ｒ３、Ｒ４は、炭素数１〜１０の脂肪族鎖である。）
炭素数１４〜２２の少なくとも１種の長鎖不飽和脂肪酸および／または炭素数７〜１２の少なくとも１種の短鎖飽和脂肪酸との反応によって得られる少なくとも１種の部分エステルまたはフルエステルを、少なくとも８５重量％含む、オイル。
【請求項８】
請求項１から７のいずれか一項において、一般式（Ｉ）で表される炭素数４０〜７０の少なくとも１種のテトラエステルを少なくとも３０重量％と、一般式（Ｉ）で表される炭素数４５〜６０の少なくとも１種のテトラエステルを少なくとも１５重量％とを含む、オイル。
【請求項９】
請求項１から８のいずれか一項において、当該オイルにＮＦ  ＩＳＯ  ５５０９規格およびＮＦ  ＩＳＯ  ５５０８規格を適用することで得られる脂肪酸メチルエステル混合物の組成に基づいて決定される、炭素数１４〜２２の長鎖脂肪酸のモル数と炭素数７〜１２の短鎖脂肪酸のモル数との比が１．５〜２．５である、オイル。
【請求項１０】
請求項１から８のいずれか一項において、当該オイルにＮＦ  ＩＳＯ  ５５０９規格およびＮＦ  ＩＳＯ  ５５０８規格を適用することで得られる脂肪酸メチルエステル混合物の組成に基づいて決定される、炭素数１４〜２２の長鎖脂肪酸のモル数と炭素数７〜１２の短鎖脂肪酸のモル数との比が０．４〜１．１である、オイル。
【請求項１１】
請求項１から１０のいずれか一項に記載のオイルを含む潤滑剤組成物。
【請求項１２】
請求項１１において、請求項１から１０のいずれか一項に記載のオイルを、１０〜９９％含む、潤滑剤組成物。
【請求項１３】
請求項１１または１２において、さらに、
・グループＩＩＩの鉱物油から選択される少なくとも１種の基油、および／またはグループＩＶ、ＶおよびＶＩの合成油から選択される少なくとも１種の基油を、０〜７０％と、
・粘度指数ＶＩを向上させる少なくとも１種のポリマーを、０〜３０％と、
・少なくとも１種の酸化防止剤を、０．２〜１０％と、
・少なくとも１種の流動点降下剤を、０．０１〜５％と、
を含む、潤滑剤組成物。
【請求項１４】
請求項１１〜１３のいずれか一項において、１００℃での動粘度が４〜８ｃＳｔである、グループＩＶの少なくとも１種の基油を３０〜７０％含む、潤滑剤組成物。
【請求項１５】
請求項１１から１４のいずれか一項において、１００℃での動粘度が５．６〜９．３ｃＳｔ（グレード２０）である、潤滑剤組成物。
【請求項１６】
請求項１１から１４のいずれか一項において、１００℃での動粘度が９．３〜１２．５ｃＳｔ（グレード３０）である、潤滑剤組成物。
【請求項１７】
請求項１から１６のいずれか一項において、粘度指数が１６０を超える、潤滑剤組成物。
【請求項１８】
請求項１から１０のいずれか一項に記載のオイルであって、摩擦調整剤として使用されるオイル。
【請求項１９】
請求項１から１０のいずれか一項に記載のオイルであって、潤滑剤基剤として使用されるオイル。
【請求項２０】
請求項９に記載のオイルであって、油圧作動油の基剤、トランスミッション用潤滑剤の基剤、または工業用潤滑剤の基剤として使用されるオイル。
【請求項２１】
請求項１０に記載のオイルであって、エンジン用潤滑剤の基剤、油圧作動油の基剤、トランスミッション用潤滑剤の基剤、または工業用潤滑剤の基剤として使用されるオイル。
【請求項２２】
請求項１０に記載のオイルであって、公共事業用車両または農業用車両の、単独でエンジン用潤滑剤、油圧作動油、およびトランスミッション用潤滑剤のいずれにも利用可能な潤滑剤を処方するうえでの基剤として使用されるオイル。
【請求項２３】
請求項１１から１７のいずれか一項に記載の潤滑剤組成物であって、４ストロークエンジン用潤滑剤として使用される潤滑剤組成物。
【請求項２４】
請求項１から１０いずれか一項に記載のオイルを製造する方法であって、
（ｉ）反応前のアルコール／飽和脂肪酸メチルエステルのモル比を１／５〜１／２．５としたうえで、エステル交換反応の塩基性の均一系触媒または不均一系触媒の存在下で、下記の一般式（ＩＩＩ）で表されるポリオールと、
【化４】
2012511077.tif 000004
（式中、基Ｒ１、Ｒ２、Ｒ３、Ｒ４は、炭素数１〜１０の脂肪族鎖である。）
炭素数７〜１２の少なくとも１種の短鎖飽和脂肪酸メチルエステルとの間でエステル交換反応を行う第１工程、
を含み、前記第１工程は、
ｉ．１：前記触媒を、ポリオールと少なくとも１種の短鎖飽和脂肪酸メチルエステルとの反応混合物に、約２０℃から約２５℃の温度で投入する副工程と、
ｉ．２：前記反応混合物の温度を、最大で約１５０℃を超える温度にまで上昇させる副工程と、
を有し、当該製造方法は、さらに、
（ｉｉ）エステル交換反応の塩基性の均一系触媒または不均一系触媒の存在下で、前記第１工程（ｉ）で得られた少なくとも１つの反応生成物と、炭素数１４〜２２の少なくとも１種の長鎖不飽和脂肪酸メチルエステル、好ましくは単一の不飽和部を有する少なくとも１種の長鎖不飽和脂肪酸メチルエステルとの間でエステル交換反応を行う第２工程、
を含み、前記第２工程は、
ｉｉ．１：前記第１工程（ｉ）で得られた所定量の少なくとも１つの生成物で構成される出発媒体の水酸基価をＮＦ  Ｔ  ６０−２３１規格に準拠して測定し、前記媒体に含まれるポリオールのエステル化されていない水酸基のモル数ｎＯＨを算出する副工程と、
ｉｉ．２：前記媒体に、約２０℃から約２５℃の温度で、少なくとも１種の長鎖不飽和脂肪酸メチルエステルＮモルを、モル比Ｎ／ｎＯＨが０．８〜１．２となるように投入する副工程と、
ｉｉ．３：前記媒体に、約２０℃から約２５℃の温度で、前記触媒を、副工程ｉｉ．２で投入された長鎖不飽和脂肪酸メチルエステルの質量に対して０．５〜１．５％の量で投入する副工程と、
を有する、オイルの製造方法。
【請求項２５】
請求項２４において、さらに、
反応しなかった水酸基を、無水酢酸で中和する第３工程、
を含む、オイルの製造方法。
【請求項２６】
請求項２４または２５において、第２工程（ｉｉ）でポリオールのエステル交換反応に使用される炭素数１４〜２２の長鎖不飽和脂肪酸メチルエステルの混合物中に、モノ不飽和脂肪酸メチルエステルが、ＮＦ  ＩＳＯ  ５５０８規格に準拠して決定される割合で少なくとも８５重量％含まれる、オイルの製造方法。
【請求項２７】
請求項２６において、モノ不飽和脂肪酸メチルエステルの炭素数が１６〜２２である、オイルの製造方法。
【請求項２８】
請求項２４から２７のいずれか一項において、ポリオールが、ペンタエリスリトールおよびネオペンチルグリコールから選択される、オイルの製造方法。